(57)【特許請求の範囲】
【請求項１】
頂壁を貫通させてステムを起立するエアゾール缶と、
該エアゾール缶の上部外面へ嵌合させた基筒部材と、
該基筒部材の上部内に下部を、かつステムの上部外面に下面から垂下させた連通筒を、
それぞれ嵌合させると共に、噴霧孔を上面に開口する足踏み用押下げヘッドとを有し、
該ヘッド押下げにより上記ステムが付勢に抗して押下げられて噴霧孔から噴霧可能に設けた足踏み式噴霧容器において、
上記容器の上部へキャップ31を嵌合させて、該キャップ周壁の左右両部から、基筒部材11の周壁外面に沿って係合板33,33 を垂下し、これ等係合板には平行に第１凹条部34と第２凹条部35とを、第２凹条部は係合板下端面へ開口させて縦設し、又基筒部材周壁12の左右両部にはピン軸13、と縦突条14、とを付設して、ピン軸13は第１凹条部34の上部内へ、縦突条14は第２凹条部35内へ、それぞれ摺動可能に嵌合させ、基筒部材11に対するキャップ引上げで、縦突条14上部が第２凹条部35の下部内に位置したとき、該位置でキャップを停止可能な假位置決め手段を設け、かつ該停止位置にあっては、第２凹条部下部内への縦突条嵌合部分がキャップ引上げ状態における上記ピン軸を中心とするキャップの前後方向揺動を阻止可能に形成したことを特徴とする足踏み式噴霧容器。
【請求項２】
上記第１凹条部34を長孔34a で形成し、該長孔の下部側方へ平行に第２長孔36を穿設することでこれ等長孔と第２長孔との間の係止板部分を板バネ37となし、又該板バネ長孔側の側面一部をピン軸挟持部38に、かつ該挟持部上下両部の長孔部分横巾をピン軸直径よりも狭く形成して、該巾狭部39内は、板バネ37の弾性変形によりピン軸13が通過可能として、これ等挟持部38と巾狭部39とで上記假位置決め手段を形成したことを特徴とする請求項１記載の足踏み式噴霧容器。
【請求項３】
上記基筒部材11に対してキャップ31を上限まで引上げして、ピン軸13が第１凹条部34の下端面に接した位置で、縦突条14上端が第２凹条部35下端から離脱可能となし、該位置からピン軸13を中心としてキャップ31を前後いずれかの方向へ倒すことが可能に形成したことを特徴とする、請求項１、又は２記載の足踏み式噴霧容器。
【発明の詳細な説明】
【０００１】
【発明の属する技術分野】
本発明は足踏み式の噴霧容器に関する。
【０００２】
【従来の技術】
足裏面へ薬液を吹付けしたい場合、容器は、頂壁を貫通させて起立するエアゾール缶と、該エアゾール缶の上部外面へ嵌合させた基筒部材と、該基筒部材の上部内に下部を、かつ上記ステムの上部外面に下面から垂下させた連通管を、それぞれ嵌合させると共に、噴霧孔を上面に開口する足踏み用押下げヘッドで形成することとなり、上記ヘッド押下げによりステムが付勢に抗して押下げられることで、エアゾール缶内液体がステムおよび押下げヘッド内を通って噴霧孔から霧となって噴出し、ヘッドを押下げている足裏面へ吹き付けできることとなる。
【０００３】
【発明が解決しようとする課題】
上記噴霧容器は、使用時、例えば足裏面の側方ないし足指間から霧が上方へ噴出することが考えられ、よって霧が体の他の部分に付着したり、又吸込む心配がある。
【０００４】
本発明はそのようなことを防止できるよう設けたものである。
【０００５】
【課題を解決するための手段】
第１の手段として頂壁を貫通させてステムを起立するエアゾール缶と、
該エアゾール缶の上部外面へ嵌合させた基筒部材と、
該基筒部材の上部内に下部を、かつステムの上部外面に下面から垂下させた連通筒を、それぞれ嵌合させると共に、噴霧孔を上面に開口する足踏み用押下げヘッドとを有し、
該ヘッド押下げにより上記ステムが付勢に抗して押下げられて噴霧孔から噴霧可能に設けた足踏み式噴霧容器において、
上記容器の上部へキャップ31を嵌合させて、該キャップ周壁の左右両部から、基筒部材11の周壁外面に沿って係合板33,33 を垂下し、これ等係合板には平行に第１凹条部34と第２凹条部35とを、第２凹条部は係合板下端面へ開口させて縦設し、又基筒部材周壁12の左右両部にはピン軸13、と縦突条14、とを付設して、ピン軸13は第１凹条部34の上部内へ、縦突条14は第２凹条部35内へ、それぞれ摺動可能に嵌合させ、基筒部材11に対するキャップ引上げで、縦突条14上部が第２凹条部35の下部内に位置したとき、該位置でキャップを停止可能な假位置決め手段を設け、かつ該停止位置にあっては、第２凹条部下部内への縦突条嵌合部分がキャップ引上げ状態における上記ピン軸を中心とするキャップの前後方向揺動を阻止可能に形成した。
【０００７】
第２の手段として、上記第１の手段を有すると共に上記第１凹条部34を長孔34a で形成し、該長孔の下部側方へ平行に第２長孔36を穿設することでこれ等長孔と第２長孔との間の係止板部分を板バネ37となし、又該板バネ長孔側の側面一部をピン軸挟持部38に、かつ該挟持部上下両部の長孔部分横巾をピン軸直径よりも狭く形成して、該巾狭部39内は、板バネ37の弾性変形によりピン軸13が通過可能として、これ等挟持部38と巾狭部39とで上記假位置決め手段を形成した。
【０００８】
第３の手段として、上記第１又は第２の手段を有すると共に上記基筒部材11に対してキャップ31を上限まで引上げして、ピン軸13が第１凹条部34の下端面に接した位置で、縦突条14上端が第２凹条部35下端から離脱可能となし、該位置からピン軸13を中心としてキャップ31を前後いずれかの方向へ倒すことが可能に形成した。
【０００９】
【発明の実施の形態】
以下図面について説明する。１は頂壁を貫通させて上方付勢されたステム２を起立するエアゾール缶で、11はそのエアゾール缶の上部外面へ嵌合させた基筒部材、21は足踏み用押下げヘッドで、上記基筒部材の上部内へ下部を、かつ上記ステムの上部外面へ、下面から垂下させた連通管22を、それぞれ嵌合させ、上面に噴霧孔23を開口させており、該ヘッド押下げにより上記ステムが付勢に抗して押下げられて、缶内液体はステムおよび連通管を通って噴霧孔23から霧となって噴出する。該ヘッドはその上面に複数の噴霧孔を開口させてもよい。
【００１０】
上記容器の上部へはキャップ31を嵌合させる。該キャップ周壁32の左右両部からは基筒部材11の周壁12外面に沿って係合板33,33 を垂下させる。尚キャップ平面形状は図３が示すようにその左右両側を平行に形成しており、係合板33,33 も垂直な平板状としている。
【００１１】
該係合板の前後方向中間部には図２が示すように第１凹条部34を、又該第１凹条部の前側方には第２凹条部35を、それぞれ、第２凹条部はその下端を係合板下端面へ開口させて縦設している。図示例では第１凹条部は長孔34a で形成し、かつその下部の左右側方へ第２長孔36,36 を穿設し、それ等長孔下部と第２長孔との間を板バネ37に形成している。該板バネについては後述する。
【００１２】
又既述基筒部材周壁12の左右両部には、ピン軸13と縦突条14とを付設しており、ピン軸13は第１凹条部34の上部内へ、又縦突条14は第２凹条部35内へ、それぞれ摺動可能に嵌合させている。
【００１３】
既述板バネは図９から図１１が示すように形成する。該板バネの長孔34a 側の側面一部をピン軸挟持部38に、かつ該挟持部の上下両部の長孔部分横巾を、ピン軸直径よりも狭く形成して巾狭部39,39 として、該巾狭部分をピン軸13が通過するときは、図１０のように板バネ37が第２長孔36側へ弾性変形するよう設ける。尚図示例では、上方巾狭部分を突部付設により形成している。図示例ではこれ等挟持部38と巾狭部39,39 とがキャップの假位置決め手段を形成するが、係合板内面と基筒部材周壁外面とに凹凸の嵌合部を設けてこれ等を假位置決め手段とすることも可能である。
【００１４】
基筒部材11に対してキャップ31を引き上げ、上方巾狭部39がピン軸13に達したとき、板バネ37が弾性変形してピン軸は挟持部38内へ入り、停止する。該位置で縦突条14上部は第２凹条部35の下部内に嵌合しており、これ等第２凹条部の下部内に嵌合する縦突条部分が、ピン軸を中心とする、キャップ31の前後方向への揺動を阻止する。
【００１５】
キャップ31は基筒部材11に対して後方へ回動させることも可能であり、この場合は上記假位置決めの位置から更にキャップ31を引上げる。該引上げによりピン軸13は第１凹条部34の底面に達し、かつ図７が示すように縦突条14上端は第２凹条部35の下端下方に設けた巾広のガイド凹部35a 内へ入る。該状態からキャップ31はピン軸13を中心として図８が示すように後方へ、つまり縦突条14上端から第２凹条部35下端が離れる方向へ回動できる。
【００１６】
キャップ31を再び閉蓋する際は、図８の状態からピン軸13を中心としてキャップを図７のように戻す。このとき縦突条14上端は第２凹条部35下方の斜面付きガイド凹部35a 内へ入るから、そのままキャップを押下げることで、図１、図２が示す閉蓋状態に戻すことが出来る。
【００１７】
上記構成とした容器は、図４、図５が示すキャップの假位置決め状態において、押下げヘッド21とキャップ31との間へ足を差込み、そのヘッド21を押下げればよい。該状態では足上方にキャップ31があるため、例えば足指間の隙間を通って上方へ上った霧はキャップ31下面に付着することとなり、人体への付着を防止できる。
【００１８】
上記霧漏れの心配がない場合、および霧漏れにより人体に付着しても悪影響のおそれがない場合は図８が示すように、キャップ31を後方へ倒して使用することも出来る。
【００１９】
尚上記構成において、基筒部材11と押下げヘッド21とキャップ31とは、それぞれ合成樹脂材で成形している。
【００２０】
【発明の効果】
本発明は既述構成とするものであり、請求項１又は２の記載の場合は、基筒部材11に対してキャップ31を上下動でき、假位置決め状態にあっては、縦突条14上部が第２凹条部35の上部内へ嵌合するから、該嵌合部分がピン軸13を中心とするキャップの前後方向揺動を阻止することで、例えば足先がキャップに当ってもキャップは倒れることはなく、よって確実に押下げヘッド21とキャップとの間へ足を差込み、上記ヘッドを押下げることが出来、該ヘッド押下げにより噴出した霧が上方へ漏れてもキャップが防禦することとなって人体他部への付着を確実に防止することが出来る。
【００２１】
請求項３記載のようにすることで假位置決め機構を簡易化できる。
【００２２】
請求項４のようにすることで、キャップ31を押下げヘッド上方へ引上げて假位置決めした状態ででも、又キャップを後方へ倒した状態ででも、実情に応じて噴霧態様を使い分けできる便利がある。
【図面の簡単な説明】
【図１】    本発明容器を前方からみた半断面図である。
【図２】    図１容器を側面からみた半断面図である。
【図３】    図１容器の平面図である。
【図４】    キャップ引上げ状態を前方からみた半断面図である。
【図５】    キャップ引上げ状態を側面からみた半断面図である。
【図６】    キャップを上限まで引上げた状態を前方からみた半断面図である。
【図７】    キャップを上限まで引上げた状態を側面からみた半断面図である。
【図８】    キャップを後方へ倒した状態で示す半断面図である。
【図９】    図４要部を、一部を切欠いて示す拡大側面図である。
【図１０】  図９状態から係合板を僅かに引上げた状態で示す、一部切欠きの拡大側面図である。
【図１１】  図１０状態から、係合板を更に引上げた状態で示す、一部切欠きの拡大側面図である。
【符号の説明】
１  …エアゾール缶              11  …基筒部材
13  …ピン軸                    14  …縦突条
21  …押下げヘッド              31  …キャップ
33  …係合板                    34  …第１凹条部
34a …長孔                      35  …第２凹条部
36  …第２長孔                  37  …板バネ
38  …ピン軸挟持部              39  …巾狭部
【図１】
0003933920.tif 000002
【図２】
0003933920.tif 000003
【図３】
0003933920.tif 000004
【図４】
0003933920.tif 000005
【図５】
0003933920.tif 000006
【図６】
0003933920.tif 000007
【図７】
0003933920.tif 000008
【図８】
0003933920.tif 000009
【図９】
0003933920.tif 000010
【図１０】
0003933920.tif 000011
【図１１】
0003933920.tif 000012